(57)【要約】【課題】  本発明は使用者の状況に応じて座って使用したり、腰掛けて使用することができるとともに、その変更が簡単で、短時間で行なうことができ、かつ収納も小さくして収納することができる座椅子を得るにある。【解決手段】  ほぼ中央部より折り畳むことができ、床面に設置することができる座板と、この座板の後端部に上方へ突出するように固定された腰当て兼腰掛け用座板と、この腰当て兼腰掛け用座板の前記座板側のほぼ中央上面、あるいは両側上面に下端部が前方へ回動できるように取付けられ、該腰当て兼腰掛け用座板を腰掛け用として使用する場合に、下端部が前記座板の先端中央部あるいは両側部の係合部と係合する支持脚とで座椅子を構成している。【選択図】  図１
2016005508.tif 000002
【特許請求の範囲】
【請求項１】
ほぼ中央部より折り畳むことができ、床面に設置することができる座板と、この座板の後端部に上方へ突出するように固定された腰当て兼腰掛け用座板と、この腰当て兼腰掛け用座板の前記座板側のほぼ中央上面、あるいは両側上面に下端部が前方へ回動できるように取付けられ、該腰当て兼腰掛け用座板を腰掛け用として使用する場合に、下端部が前記座板の先端中央部あるいは両側部の係合部と係合する支持脚とからなることを特徴とする座椅子。
【請求項２】
腰当て兼腰掛け用座板は座板の座面に対して９０度より大きい角度で上方へ突出されるとともに、該腰当て兼腰掛け用座板を腰掛け用として使用する場合に、先端部が後端部より下方に位置するように支持脚が設定されていることを特徴とする請求項１記載の座椅子。
【請求項３】
支持脚の少なくとも下部は金属材あるいは磁石が設けられるとともに、座板の係合部は該支持脚の下部が挿入される凹部および、該凹部内に磁石あるいは前記支持脚と下部の磁石と吸着する磁石が設けられてることを特徴とする請求項１記載の座椅子。
【発明の詳細な説明】
【技術分野】
【０００１】
本発明は座ったり、腰掛けたりして使用することができる座椅子に関する。
【背景技術】
【０００２】
従来、座って使用する座椅子や、腰掛けて使用する座椅子が商品化されているが、使用者の状況に応じて座って使用したり、腰掛けて使用することができる座椅子は存在しなかった。
【先行技術文献】
【特許文献】
【０００３】
【特許文献１】特開２０００−３１６６７１号公報
【特許文献２】特開平９−５１８３０号公報
【特許文献３】実公平３−３２２８３号公報
【発明の概要】
【発明が解決しようとする課題】
【０００４】
本発明は以上のような従来の欠点に鑑み、使用者の状況に応じて座って使用したり、腰掛けて使用することができるとともに、その変更が簡単で、短時間で行なうことができ、かつ収納も小さくして収納することができる座椅子を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はほぼ中央部より折り畳むことができ、床面に設置することができる座板と、この座板の後端部に上方へ突出するように固定された腰当て兼腰掛け用座板と、この腰当て兼腰掛け用座板の前記座板側のほぼ中央上面、あるいは両側上面に下端部が前方へ回動できるように取付けられ、該腰当て兼腰掛け用座板を腰掛け用として使用する場合に、下端部が前記座板の先端中央部あるいは両側部の係合部と係合する支持脚とで座椅子を構成している。
【発明の効果】
【０００７】
以上の説明から明らかなように、本発明にあっては次に列挙する効果が得られる。
（１）請求項１により、座板を広げて床面に設置することにより、座って使用することができ、座板のほぼ中央部を折り曲げ、支持脚の下端部を座板の先端中央部の係合部と係合させることにより、腰当て兼腰掛け用座板に腰掛けて使用することができる。
したがって、使用者の状況に応じて座ったり、腰掛けて使用でき、便利に使用することができる。
（２）前記（１）により、腰当て兼腰掛け用座板を、座板のほぼ中央部を支点に前方へ回動させることにより、支持脚の下端部が前方へ突出して、座板の先端中央部の係合部に楽に係合させることができる。
このため、楽で、短時間に腰掛けて使用する状態にできる。
（３）前記（１）によって、座板を折り畳むことにより小さくなり、効率よく収納することができる。
（４）請求項２も前記（１）〜（３）と同様な効果が得られるとともに、腰当て兼腰掛け用座板は、座板の座面に対して９０度より大きい角度で上方に突出しているので、座って使用する場合、腰より上部を腰当て兼腰掛け用座板に押し当てることにより、９０度より大きい角度となり、楽に座って使用することができるとともに、腰掛けて使用する場合、支持脚によって腰当て兼腰掛け用座板の先端部が後端部より下方に位置するので、腰掛けていて立ち上がる場合に、楽に立ち上がることができる。
（５）請求項３も前記（１ ）〜（３）と同様な効果が得られるとともに、支持脚を座板の係合部に楽に係合させることができる。
【０００８】
したがって、簡単に使用状況を変えて使用することができる。
【図面の簡単な説明】
【０００９】
【図１】本発明を実施するための第１の形態の側面図。
【図２】本発明を実施するための第１の形態の平面図。
【図３】本発明を実施するための第１の形態の正面図。
【図４】本発明を実施するための第１の形態の背面図。
【図５】本発明を実施するための第１の形態の底面図。
【図６】本発明を実施するための第１の形態の腰掛けとして使用できる状態にした側面図。
【図７】本発明を実施するための第１の形態の腰掛けとして使用できる状態にした正面図。
【図８】本発明を実施するための第１の形態の腰掛けとして使用できる状態にした平面図。
【図９】本発明を実施するための第１の形態の収納状態にする場合の説明図。
【図１０】本発明を実施するための第１の形態の収納状態にした側面図。
【図１１】本発明を実施するための第１の形態の座った使用時の説明図。
【図１２】本発明を実施するための第１の形態の腰掛け使用時の説明図。
【図１３】本発明を実施するための第２の形態の側面図。
【図１４】本発明を実施するための第２の形態の底面図。
【図１５】本発明を実施するための第２の形態の収納状態にした説明図。
【図１６】本発明を実施するための第３の形態の側面図。
【図１７】本発明を実施するための第３の形態の底面図。
【図１８】本発明を実施するための第３の形態の収納状態にした側面図。
【図１９】本発明を実施するための第３の形態の収納状態にした底面図。
【図２０】本発明を実施するための第４の形態の腰掛けで使用する側面図。
【図２１】本発明を実施するための第４の形態の腰掛けで使用する正面図。
【図２２】本発明を実施するための第４の形態の座って使用する正面図。
【図２３】本発明を実施するための第４の形態の座って使用する側面図。
【発明を実施するための形態】
【００１０】
以下、図面に示す本発明を実施するための形態により、本発明を詳細に説明する。
【００１１】
図１ないし図１２に示す本発明を実施するための第１の形態において、１は座ったり、腰掛けてして使用できる状態に簡単に変更して使用できる本発明の座椅子で、この座椅子１はほぼ中央部より折り畳むことができる、床面２に設置することができる座板３と、この座板３の後端部に上方へ突出するように固定された腰当て兼腰掛け用座板４と、この腰当て兼腰掛け用座板４の前記座板３側のほぼ中央上面に下端部が前方へ回動できるように取付けられ、該腰当て兼腰掛け用座板４を腰掛け用として使用する場合に、下端部が前記座板３の先端中央部の係合部５と係合する支持脚６とで構成されている。
【００１２】
前記座板３は先端部７ａより後端部７ｂ側が、順次幅寸法が小さくなる後部座板７と、この後部座板７の先端部に一体形成された両端部に係合凹部８、８が形成されるとともに、該後部座板７を先端部７ａ側が少し高くなるように位置させる取付け体９と、この取付け体９の両端部の係合凹部８、８に入り込む取付け片１０、１０をピン１１、１１で回動可能に取付けられる後端部１２ｂより先端部１２ａが順次幅寸法が小さくなる前部座板１２と、この前部座板１２の先端部１２ａの上面に形成された、前記支持脚６が係合状態で挿入される係合凹部５としての凹部１３と、この凹部１３が形成された部位の、前記前部座板１２の底面に形成された下方へわずかに突出する支持台９ａとで構成されている。
【００１３】
前記腰当て兼腰掛け用座板４は前記座板３の後部座板７の後部より直角方向に突出するように、該後部座板７の長さ寸法よりもわずかに長い寸法で、先端両側が弧状１４ａ、１４ａの腰当て兼腰掛け用座板本体１４と、この腰当て兼腰掛け用座板本体１４の下部両端部と前記後部座板７を強固に固定する補強固定板１５、１５と、前記腰当て兼腰掛け用座板本体１４の下端部の外側面１４ｂに固定された先端部が弧状に形成された腰掛け時のストッパー片１６と、前記腰当て兼腰掛け用座板本体１４の内側面１４ｃのほぼ中央部に形成された金属材あるいは磁石１７が設けられた支持脚収納凹部１８とで構成されている。
【００１４】
前記支持脚６は前記腰当て兼腰掛け用座板４の腰当て兼腰掛け用座板本体１４の支持脚収納凹部１８内に収納される支持脚本体１９と、この支持脚本体１９の上部に取付けられ、該支持脚本体１９の下端部を前方へ回動できるように枢支する、前記支持脚収納凹部１８の上部寄りの側壁１８ａ、１８ａに取付けられた枢支軸２０と、前記支持脚本体１９の下部に固定された、前記係合部５としての凹部１３の金属材あるいは磁石１７と吸着される磁石あるいは金属材２１とで構成されている。
【００１５】
上記構成の座椅子１は、座って使用する場合、座板３を広げて図１１に示すように床面２に設置すると、座板３の後部座板７は取付け体９によって後部側がわずかに下方に位置する傾斜面となり、腰当て兼腰掛け用座板４が垂直状態から先端部が後方に位置する傾斜状態となるため、座板３に座ると傾斜状態の腰当て兼腰掛け用座板４に腰部分が当る状態となり、楽に座って使用することができる。
【００１６】
腰掛けて使用する場合、座って使用する状態から図１２に示すように、腰当て兼腰掛け用座板４と座板３の後部座板７を座板３の折り畳み部分より前方へ回動させることにより、支持脚６の下端部が前方へ突出してきて、座板３の前部座板１２の凹部１３へ吸着状態で入って支持される。
この状態で腰当て兼腰掛け用座板４の外側面１４ｂが上面に位置するとともに、図１２に示すように、前方が後方よりもわずかに低い位置となる傾斜面となる。
このため、腰当て兼腰掛け用座板本体１４に取り付けられている支持脚本体１９の下端部が前方へ回動して、前部座板１２の凹部１３近傍に位置し、支持脚本体１９の下端部が前部座板１２の凹部１３へ自動的に吸着状態で入り込む。
【００１７】
よって、腰掛けて使用して、立ち上がる場合に、前方がわずかに低いので、楽に立ち上がることができるとともに、支持脚６の下端部が座板３の前部座板１２の凹部１３内へ吸着状態で入っているので、外れることなく、安全に使用することができる。
【００１８】
不使用時には図９および図１０に示すように、座板３の前部座板１２を後部座板７の下端部に位置するように、折り畳み部分より折り畳むことにより、小さくすることができる。
また、座板３を折り畳まないで、重ねて収納してもよい。
【００１９】
[発明を実施するための異なる形態]
次に、図１３ないし図２３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図１３ないし図１５に示す本発明を実施するための第２の形態において、前記本発明を実施するための第１の形態と主に異なる点は、係合凹部のない後部座板７Ａの先端部の底面と取付け片のない前部座板１２Ａの底面にヒンジ部材取付け凹部２２、２２、２２、２２を形成し、該ヒンジ部材取付け凹部２２、２２、２２、２２にヒンジ部材２３、２３を取付けて折り畳みできる座板３Ａを用いた点で、このような座板３Ａを用いて構成した座椅子１Ａにしても、前記本発明を実施するための第１の形態と同様な作用効果が得られる。
【００２１】
図１６ないし図１９に示す本発明を実施するための第３の形態において、前記本発明を実施するための第２の形態と主に異なる点は、広げると平坦となるように取付け体、支持体のない後部座板７Ｂと前部座板１２Ｂを用いて構成した座板３Ｂと、この座板３Ｂの後部座板７Ｂの後端部に、該後部座板７Ｂの座面７ｃに対して９０度より大きい角度で上方へ突出する腰当て兼腰掛け用座板４Ａを固定した点で、このように構成した座椅子１Ｂにしても、前記本発明を実施するための第２の形態と同様な作用効果が得られる。
【００２２】
図２０ないし図２３に示す本発明を実施するための第４の形態において、前記本発明を実施するための第１の形態と主に異なる点は、前部座板１２の先端両側上面に凹部１３Ａ、１３Ａを形成した座板３Ｃを使用するとともに、この座板３Ｃの凹部１３Ａ、１３Ａに下端部が入り込む支持脚６Ａ、６Ａを腰当て兼腰掛け用座板４Ｂに回動可能に取付けた点で、このように構成した座椅子１Ｃにしても前記本発明を実施するための第１の形態と同様な作用効果が得られる。
【産業上の利用可能性】
【００２３】
本発明は座ったり、腰掛けたりして使用することができる座椅子を製造する産業で利用される。
【符号の説明】
【００２４】
１、１Ａ、１Ｂ、１Ｃ：座椅子、
２：床面、                  ３、３Ａ、３Ｂ、３Ｃ：座板、
４、４Ａ、４Ｂ：腰当て兼腰掛け用座板、
５：係合部、        ６、６Ａ：支持脚、
７、７Ａ、７Ｂ：後部座板、  ８：係合凹部、
９：取付け体、      １０：取付け片、
１１：ピン、        １２、１２Ａ、１２Ｂ：前部座板、
１３、１３Ａ：係合部としての凹部、
１４：腰当て兼腰掛け用座板本体、
１５：補強固定板、      １６：ストッパー片、      
１７：金属材あるいは磁石、  １８：支持脚収納凹部、
１９：支持脚本体、      ２０：枢支軸、
２１：磁石あるいは金属材、  ２２：ヒンジ部材取付け凹部、
２３：ヒンジ部材。
【図１】
2016005508.tif 000003
【図２】
2016005508.tif 000004
【図３】
2016005508.tif 000005
【図４】
2016005508.tif 000006
【図５】
2016005508.tif 000007
【図６】
2016005508.tif 000008
【図７】
2016005508.tif 000009
【図８】
2016005508.tif 000010
【図９】
2016005508.tif 000011
【図１０】
2016005508.tif 000012
【図１１】
2016005508.tif 000013
【図１２】
2016005508.tif 000014
【図１３】
2016005508.tif 000015
【図１４】
2016005508.tif 000016
【図１５】
2016005508.tif 000017
【図１６】
2016005508.tif 000018
【図１７】
2016005508.tif 000019
【図１８】
2016005508.tif 000020
【図１９】
2016005508.tif 000021
【図２０】
2016005508.tif 000022
【図２１】
2016005508.tif 000023
【図２２】
2016005508.tif 000024
【図２３】
2016005508.tif 000025